(57)【要約】【課題】無線回線の空き時間を利用して、無線回線を更に有効活用する。【解決手段】実施形態の観測局装置は、複数の接点、情報提供機器、接点制御手段及び動作状態伝送手段を備えている。前記複数の接点は、前記監視局にて選択された制御項目を示すパターン番号に応じて設けられている。前記情報提供機器は、前記各接点に接続され、前記各接点のいずれかが閉じられると、前記閉じられた接点に応じた情報を提供する。前記接点制御手段は、前記正定時以外の時間に前記無線回線を介して、前記パターン番号を含む制御信号を前記観測局装置から受けると、この制御信号に含まれるパターン番号に応じた接点を閉じる。前記動作状態伝送手段は、前記閉じられた接点を介して前記情報提供機器の動作状態を示す動作状態信号を取得し、当該取得した動作状態信号を、前記無線回線を介して前記監視局装置に伝送する。【選択図】図４
2013183406.tif 000002
【特許請求の範囲】
【請求項１】
正定時に無線回線を介して雨量計の計測情報と河川の水位計の計測情報との少なくとも一方を監視局装置に伝送する観測局装置であって、
前記監視局にて選択された制御項目を示すパターン番号に応じて設けられた複数の接点と、
前記各接点に接続され、前記各接点のいずれかが閉じられると、前記閉じられた接点に応じた情報を提供する情報提供機器と、
前記正定時以外の時間に前記無線回線を介して、前記パターン番号を含む制御信号を前記監視局装置から受けると、この制御信号に含まれるパターン番号に応じた接点を閉じる接点制御手段と、
前記閉じられた接点を介して前記情報提供機器の動作状態を示す動作状態信号を取得し、当該取得した動作状態信号を、前記無線回線を介して前記監視局装置に伝送する動作状態伝送手段と
を備えたことを特徴とする観測局装置。
【請求項２】
正定時に無線回線を介して雨量計の計測情報と河川の水位計の計測情報との少なくとも一方を伝送する観測局装置と、前記観測局装置から伝送された計測情報を上位装置に伝送する監視局装置とを備えた水位監視システムであって、
前記監視局装置は、
操作者の操作に応じて制御項目を選択する制御項目選択手段と、
前記選択された制御項目を示すパターン番号を含む制御信号を前記観測局装置に伝送する制御信号伝送手段と、
前記観測局装置から伝送された動作状態信号が示す動作状態を表示する表示手段と、
前記観測局装置から伝送された動作状態信号が示す動作状態を印刷する印刷手段と
を備え、
前記観測局装置は、
前記パターン番号に応じて設けられた複数の接点と、
前記各接点に接続され、前記各接点のいずれかが閉じられると、前記閉じられた接点に応じた情報を提供する情報提供機器と、
前記正定時以外の時間に前記無線回線を介して前記制御信号を前記監視局装置から受けると、この制御信号に含まれるパターン番号に応じた接点を閉じる接点制御手段と、
前記閉じられた接点を介して前記情報提供機器の動作状態を示す動作状態信号を取得し、当該取得した動作状態信号を、前記無線回線を介して前記監視局装置に伝送する動作状態伝送手段と
を備えたことを特徴とする水位監視システム。
【発明の詳細な説明】
【技術分野】
【０００１】
本発明の実施形態は、観測局装置及び水位監視システムに関する。
【背景技術】
【０００２】
一般に、河川の水位を監視する水位監視システムとしては、ダムの下流の河川のように人里離れた場所に設けられるダム放流警報システムや、親水公園や河川敷のように地元住民や観光客が利用する場所に設けられるテレメータシステムが知られている。
【０００３】
国電通仕第２７号方式のダム警報システムとしては、例えば、水位が上昇する所定時間前に警報出来るものが知られている。この種のダム放流警報システムは、河川に沿って設けられた複数の放流警報装置と、各放流警報装置に無線通信可能な１台の放流警報制御装置とを備えている。放流警報制御装置は、放流警報装置より警報の送出状況を受信すると直ちに、１つ下流の放流警報装置に水位上昇時点返送指令を送出し、水位上昇の返送時点が予め想定した時刻と異なれば、更に下流の放流警報装置に対し、警報送出の指令時刻を修正して送出する。また、放流警報装置の近傍には水位センサを設置する。放流警報装置は、放流警報制御装置より水位上昇時点返送指令を受信すると、自装置の近傍の水位センサにて水位を監視し、水位が上昇した時、放流警報制御装置宛に水位上昇を返送する。これにより、ダム放流による水位上昇時に的確に警報制御を行うことができる。
【０００４】
一方、国電通仕第２１号方式のテレメータシステムは、正定時（１０分、１５分、３０分、１時間間隔）の一括呼出・順次応答方式で、監視局が中継制御及び、観測局呼出制御を行い、観測局のデータ（雨量、水位等）を収集するものである。
【０００５】
この種のテレメータシステムでは、正定時には７０ＭＨｚ帯や４００ＭＨｚ帯の無線回線が利用されるが、正定時以外の時間には保守点検時の通話・試験を除いて、無線回線が利用されない。なお、正定時のデータ収集に要する時間は、通常、１分程度である。このため、テレメータシステムでは、正定時以外の無線回線の空き時間が多くなっている。
【先行技術文献】
【特許文献】
【０００６】
【特許文献１】特開平６−２９０３７７号公報
【発明の概要】
【発明が解決しようとする課題】
【０００７】
以上のようなダム警報システム及びテレメータシステムは、通常は特に問題ないが、本発明者の検討によれば、テレメータシステムについては、無線回線の空き時間が多いため、この空き時間を利用して、無線回線を更に有効活用し得る点で改良の余地があると考えられる。
【０００８】
本発明が解決しようとする課題は、無線回線の空き時間を利用して、無線回線を更に有効活用し得る観測局装置及び水位監視システムを提供することである。
【課題を解決するための手段】
【０００９】
実施形態の観測局装置は、正定時に無線回線を介して雨量計の計測情報と河川の水位計の計測情報との少なくとも一方を監視局装置に伝送する。
【００１０】
前記観測局装置は、複数の接点、情報提供機器、接点制御手段及び動作状態伝送手段を備えている。
【００１１】
前記複数の接点は、前記監視局にて選択された制御項目を示すパターン番号に応じて設けられている。
【００１２】
前記情報提供機器は、前記各接点に接続され、前記各接点のいずれかが閉じられると、前記閉じられた接点に応じた情報を提供する。
【００１３】
前記接点制御手段は、前記正定時以外の時間に前記無線回線を介して、前記パターン番号を含む制御信号を前記観測局装置から受けると、この制御信号に含まれるパターン番号に応じた接点を閉じる。
【００１４】
前記動作状態伝送手段は、前記閉じられた接点を介して前記情報提供機器の動作状態を示す動作状態信号を取得し、当該取得した動作状態信号を、前記無線回線を介して前記監視局装置に伝送する。
【図面の簡単な説明】
【００１５】
【図１】一実施形態に係る観測局装置が適用された水位監視システムの構成を示す模式図である。
【図２】同実施形態における監視局装置の構成を示すブロック図である。
【図３】同実施形態におけるパターン番号テーブルを説明するための模式図である。
【図４】同実施形態における観測局装置の構成を示すブロック図である。
【図５】同実施形態における動作を説明するためのシーケンス図である。
【発明を実施するための形態】
【００１６】
以下、一実施形態について図面を用いて説明する。
【００１７】
図１は一実施形態に係る観測局装置が適用された水位監視システムの構成を示す模式図であり、図２は監視局装置の構成を示すブロック図であり、図３はパターン番号テーブルを説明するための模式図であり、図４は観測局装置の構成を示すブロック図である。
【００１８】
この水位監視システムは、図１に示すように、観測局装置３から伝送された計測情報を上位装置１３に伝送する監視局装置１と、両装置１，３間で無線回線を介して伝送される信号を中継する中継局装置２と、正定時に無線回線を介して雨量計３３の計測情報と河川の水位計３４の計測情報との少なくとも一方を監視局装置１に伝送する観測局装置３とを備えている。なお、監視局装置１は、本システムの親局装置であり、中継局装置２の制御監視、観測局装置３の計測情報収集及び情報提供機器３５の制御監視を行う。中継局装置２は、監視局装置１と観測局装置３とが直接に無線通信可能な場合には省略可能であるため、必須ではなく任意の付加的事項となっている。このため、以下では、監視局装置１と観測局装置３と間の無線通信を中継局装置２が中継する旨の説明を適宜省略する。また、観測局装置３は、本システムの子局装置であり、監視局装置１の呼出制御に対する計測情報の応答、及び監視局装置１の制御に対する情報提供機器３５による情報提供と動作状態信号の応答を行う。
【００１９】
ここで、監視局装置１は、図１及び図２に示すように、監視装置１０、無線装置１１、電源装置１２、操作卓１４及びプリンタ１５を備えている。監視装置１０は、上位装置１３に接続されており、正定時監視部１６及び情報提供制御部１７を備えている。
【００２０】
無線装置１１は、中継局装置２０との間の無線通信を行う装置である。
【００２１】
電源装置１２は、外部からの電源供給を受けて監視装置１０及び無線装置１１に必要な電力を供給する電源である。
【００２２】
上位装置１３は、監視局装置１から伝送された計測情報に基づいて、河川管理を行うためのものである。
【００２３】
操作卓１４は、操作者と監視装置１０との間の入出力インターフェースであり、例えば、操作者の操作に応じて制御項目を選択する制御項目選択機能と、観測局装置３から伝送された動作状態信号が示す動作状態を表示する表示機能とをもっている。
【００２４】
操作卓１４の制御項目選択機能は、図３に示すように、予めパターン番号と制御項目とを関連付けてメモリ（図示せず）に記憶しておき、当該メモリから読み出したパターン番号と制御項目とを表示して、操作者に制御項目の選択を促すように実装してもよい。
【００２５】
ここで、制御項目における第１表示パターン及び第２表示パターンとしては、例えば“美化月間”及び“川をきれいにしよう”等の一般的なメッセージ情報の提供であり、第３表示パターンとしては、例えば“増水のため、避難して下さい”等の避難・警戒情報の提供としてもよい。
【００２６】
同様に、制御項目における第１音声パターンとしては、例えば“美化月間”又は“川をきれいにしよう”等の一般的なメッセージを示す音声情報の提供であり、第２音声パターンとしては、例えば“増水のため、避難して下さい”等の避難・警戒を示す音声情報の提供としてもよい。
【００２７】
なお、操作卓１４の制御項目選択機能及び表示機能は、監視装置１０が有してもよく、この場合には操作卓１４を省略してもよい。すなわち、操作卓１４は、監視装置１０が入出力デバイス（例、入力装置（制御項目選択機能）及び表示装置（表示機能）など）を有する場合には省略可能であるため、必須ではなく任意の付加的事項となっている。また、操作卓１４を省略せず、制御項目選択機能及び表示機能を監視装置１０及び操作卓１４からそれぞれ使用するように実装してもよい。
【００２８】
プリンタ１５は、例えば、観測局装置３から伝送された動作状態信号が示す動作状態を印刷する印刷機能をもっている。プリンタ１５は、これに限らず、監視装置１０から伝送した制御信号が示すパターン番号を更に印刷してもよく、また更に、正定時に収集した計測情報を印刷してもよい。なお、プリンタ１５が印刷する動作状態及びパターン番号は、操作履歴を表している。
【００２９】
正定時監視部１６は、国電通仕第２１号方式を用いる正定時（１０分、１５分、３０分、１時間間隔）の一括呼出・順次応答方式により、中継局装置２の中継制御と、観測局装置３の呼出制御を行い、観測局装置２から計測情報（雨量、水位等）を収集する機能をもっている。
【００３０】
情報提供制御部１７は、操作卓１４により選択された制御項目を示すパターン番号を含む制御信号を観測局装置３０に伝送する制御信号伝送機能と、観測局装置３０から伝送された動作状態信号が示す動作状態を操作卓１４に表示させる機能と、観測局装置３０から伝送された動作状態信号が示す動作状態をプリンタ１５に印刷させる機能とをもっている。
【００３１】
情報提供制御部１７は、国電通仕第２１号方式とは独立した仕様により制御信号を伝送するように実装してもよく、また、国電通仕第２１号方式における呼出制御の未使用ビットを用いて制御信号を伝送するように実装してもよい。後者の場合、国電通仕第２１号方式の仕様を少し拡張するだけで実現することができる。
【００３２】
一方、中継局装置２は、図１に示すように、中継装置２０、無線装置２１，２２及び電源装置２３を備えている。
【００３３】
中継装置２０は、監視局装置１との間の無線通信を無線装置２１により行い、観測局装置３との無線通信を無線装置２２により行うことにより、監視局装置１と観測局装置３との間の無線通信を中継するものである。
【００３４】
電源装置２３は、外部からの電源供給を受けて中継装置２０及び無線装置２１，２２に必要な電力を供給する電源である。
【００３５】
他方、観測局装置３は、図１及び図４に示すように、観測装置３０、無線装置３１、電源装置３２、雨量計３３、水位計３４及び情報提供機器３５を備えている。観測装置３０は、呼出応答部３６及び外部入出力部３７を備えている。
【００３６】
電源装置３２は、外部からの電源供給を受けて観測装置３０及び無線装置３１に必要な電力を供給する電源である。
【００３７】
雨量計３３は、雨量を計測する計測機器であり、雨量の計測値を示す計測信号を観測装置３０に出力する。
【００３８】
水位計３４は、河川の水位を計測する計測機器であり、水位の計測結果を示す計測信号を観測装置３０に出力する。
【００３９】
情報提供機器３５は、外部入出力部３７内の図示しない各接点に接続され、各接点のいずれかが閉じられると、当該閉じられた接点に応じた情報を提供する機器である。ここで、情報提供機器３５は、例えば、表示盤制御盤３５ａ、情報表示盤３５ｂ、回転灯制御盤３５ｃ、回転灯３５ｄ、音声発生装置３５ｅ及びスピーカ３５ｆを備えている。
【００４０】
図３に示した制御項目の例では、表示盤制御盤３５ａは、外部入出力部３７内の図示しない第１接点〜第３接点に接続され、第１接点〜第３接点のいずれかが閉じられると、当該閉じられた接点に応じた情報（第１〜第３表示パターンのいずれかに対応した情報）を情報表示盤３５ｂに送出する。情報表示盤３５ｂは、表示盤制御盤３５ａから送出された情報を表示することにより、表示パターンに応じた情報を提供する。
【００４１】
回転灯制御盤３５ｃは、外部入出力部３７内の図示しない第４接点に接続され、第４接点が閉じられると、当該閉じられた第４接点に応じた起動信号を回転灯３５ｄに送出する。回転灯３５ｄは、回転灯制御盤３５ｃから送出された起動信号を受けると、灯部が点灯及び回転することにより、警報等の情報を提供する。
【００４２】
音声発生装置３５ｅは、外部入出力部３７内の図示しない第５接点及び第６接点に接続され、第５接点及び第６接点のいずれかが閉じられると、当該閉じられた接点に応じた音声信号（第１及び第２音声パターンのいずれかに対応した音声信号）をスピーカ３５ｆに送出する。スピーカ３５ｆは、音声発生装置３５ｅから送出された音声信号を音声出力することにより、音声パターンに応じた情報を提供する。
【００４３】
呼出応答部３６は、国電通仕第２１号方式を用いる正定時（１０分、１５分、３０分、１時間間隔）の一括呼出・順次応答方式により、監視局装置１から呼出制御され、この呼出制御に対して、雨量計３３及び水位計３４から受けた計測信号が示す計測値を含む計測情報を無線装置３１を介して伝送する機能をもっている。
【００４４】
外部入出力部３７は、パターン番号に応じて設けられた複数の接点（図示せず）と、正定時以外の時間に無線回線を介して制御信号を監視局装置１から受けると、この制御信号に含まれるパターン番号に応じた接点を閉じる接点制御機能と、当該閉じられた接点を介して情報提供機器３５の動作状態を示す動作状態信号を取得し、当該取得した動作状態信号を、無線回線を介して監視局装置１に伝送する動作状態伝送機能とをもっている。各接点は、例えば、無電圧接点として実装されている。
【００４５】
次に、以上のように構成された水位監視システムの動作について図５のシーケンス図を用いて説明する。
【００４６】
通常は、正定時観測（１０分、１５分、３０分、１時間間隔）を行っているが、正定時観測の間に生じる無線回線の空き時間を利用して、以下のように情報提供を行う。
【００４７】
操作卓１４は、操作者の操作に応じて情報提供機器３５の制御項目を選択する。
【００４８】
監視装置１０の情報提供制御部１７は、当該選択された制御項目を示すパターン番号を含む制御信号を観測局装置３０に伝送する（ＳＴ１）。
【００４９】
観測装置３０の外部入出力部３７は、正定時以外の時間に無線回線を介して制御信号を監視局装置１から受けると、この制御信号に含まれるパターン番号に応じた接点（図示せず）を閉じる。
【００５０】
情報提供機器３５は、当該閉じられた接点に応じた情報を提供する（ＳＴ２）。
【００５１】
例えば、表示盤制御盤３５ａは、当該閉じられた接点に応じた情報を情報表示盤３５ｂに送出する。情報表示盤３５ｂは、送出された情報を表示することにより、表示パターンに応じた情報を提供する。
【００５２】
次に、外部入出力部３７は、当該閉じられた接点を介して情報提供機器３５の動作状態を示す動作状態信号を取得し、当該取得した動作状態信号を、無線回線を介して監視局装置１に伝送する（ＳＴ３）。
【００５３】
監視局装置１の情報提供制御部１７は、伝送された動作状態信号が示す動作状態を操作卓１４に表示させると共に、当該動作状態信号が示す動作状態をプリンタ１５に印刷させる（ＳＴ４）。
【００５４】
上述したように本実施形態によれば、観測局装置３が、正定時以外の時間に無線回線を介して制御信号を監視局装置１から受けると、この制御信号に含まれるパターン番号に応じた接点を閉じ、当該閉じられた接点に応じた情報を提供する構成により、無線回線の空き時間を利用して、無線回線を更に有効活用することができる。
【００５５】
補足すると、従来、観測装置の周辺機器は雨量計や水位計等の計測装置のみであった。これに対し、本実施形態では、観測局装置に外部入出力部３７及び情報提供機器３５を備えた構成により、テレメータシステムの無線回線の空き時間を利用して、観測局の周辺に様々な情報を情報提供機器３５から提供することができる。
【００５６】
例えば、本実施形態では、親水公園や河川敷のような地元住民や観光客が利用する場所で、平常時には情報表示盤３５ｂで様々なメッセージ（例、“美化月間”や“川をきれいにしよう”など）を表示し、河川増水時には情報表示盤３５ｂに加え、回転灯３５ｄやスピーカ３５ｆ等で警戒・避難を促すことができる。
【００５７】
また、本実施形態の情報提供制御部１７は、国電通仕第２１号方式における呼出制御の未使用ビットを用いて制御信号を伝送するように実装した場合、国電通仕第２１号方式の仕様を少し拡張するだけで実現することができる。
【００５８】
なお、本実施形態では、監視局装置１が、操作者の操作に応じて制御信号を伝送する場合を例に挙げて説明したが、これに限らず、監視局装置１が、伝送された計測信号と所定の警戒レベル情報とに基づいて、制御信号を観測局装置３に伝送する構成に変形してもよい。
【００５９】
例えば、計測信号が河川の水位を示し、警戒レベル情報が河川の水位警戒レベルを示すとき、計測信号の示す水位が警戒レベル情報の示す水位警戒レベルを超えた場合に、制御信号を観測局装置３に伝送すればよい。
【００６０】
また、例えば、計測信号が雨量を示し、警戒レベル情報が時間雨量警戒レベルを示すとき、計測信号から計算された時間雨量が警戒レベル情報の示す時間雨量警戒レベルを超えた場合に、制御信号を観測局装置３に伝送すればよい。
【００６１】
同様に、例えば、計測信号が雨量を示し、警戒レベル情報が積算雨量警戒レベルを示すとき、計測信号から計算された積算雨量が警戒レベル情報の示す積算雨量警戒レベルを超えた場合に、制御信号を観測局装置３に伝送すればよい。
【００６２】
なお、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６３】
１…監視局装置、２…中継局装置、３…観測局装置、１０…監視装置、１１，２１，２２，３１…無線装置、１２，２３，３２…電源装置、１３…上位装置、１４…操作卓、１５…プリンタ、１６…正定時監視部、１７…情報提供制御部、３０…観測装置、３３…雨量計、３４…水位計、３５…情報提供機器、３６…呼出応答部、３７…外部入出力部。
【図１】
2013183406.tif 000003
【図２】
2013183406.tif 000004
【図３】
2013183406.tif 000005
【図４】
2013183406.tif 000006
【図５】
2013183406.tif 000007